(57)【特許請求の範囲】
【請求項１】
飲料容器に入れられた飲料物を撹拌するための飲料用撹拌用具であって、
不溶性素材からなり、使用時に飲料容器の内部に取り付け固定するための吸盤と、当該吸盤上部に、飲料容器を手に持ち動かした時に飲料に撹拌流を起こさせるための中央軸から放射状に配置される2個以上の板状突起を設けた事を特徴とする飲料用撹拌用具。
【請求項２】
請求項１の板状突起に傾斜を持たせている事を特徴とした、請求項1に記載の飲料用撹拌用具。
【請求項３】
全体がシリコーンゴム素材からなる請求項1又は2に記載の飲料用撹拌用具。  
【発明の詳細な説明】
【技術分野】
【０００１】
本発明は、飲料用の撹拌用具に関するものである。
【背景技術】
【０００２】
従来、飲料容器に入れられた撹拌が必要な飲料を飲む際には、スプーンやマドラーを使用する事が多い。また、一日に何杯かの飲料を飲む人は、その度ごとに撹拌するためのスプーンを必要としていた。
【先行技術文献】
【特許文献】
【０００３】
【特許文献１】特許第4655249号  摘み開き式クリップ付きマドラースプーン
【特許文献２】特開平6-284953  飲料容器
【特許文献３】特許出願公告  昭44-20707号  液体混合物混合装置
【発明の概要】
【発明が解決しようとする課題】
【０００４】
しかし、職場や家庭ではマグカップで飲料を飲む人は多く、撹拌作業後の濡れたスプーンの置き場所に困るという不便があった。後でまた飲料を作り撹拌作業をする事が分かっていながら、その都度スプーンを洗浄するのは面倒な作業である。
そこで、別のコップに水を張り、そのコップを一日のスプーン置き場にする方法もあるが、そのスプーン置き場を設置するためのスペースが必要であり、最終的にスプーン置き場用のコップを洗う面倒も増える。
その面倒を避け、スプーンをマグカップにに入れたままにすると、飲む時に邪魔になり、手で押さえながら飲まなければならない。
【０００５】
特許文献1（特許第4655249号  摘み開き式クリップ付きマドラースプーン）は、飲料容器にクリップ状に留めておけるものであり、邪魔にならないと言う利点があるが、使用する際には、その都度クリップを外したり取り付けたりという動きのコマ数が多いものである。
【０００６】
特許文献2（特開平6-284953  飲料容器）は、スプーンやマドラーが不要で撹拌作業が行えるが、電力が必要で、ミキサシャフトに乗せなければ撹拌作業を行えない。また、当該発明品の容器に限定され、飲料や気分によって各個人の好みの飲料容器は使用出来ないので、情緒に乏しい。また、飲料容器内部の形状が複雑であるため、飲料容器を隅々まで洗浄しにくく、衛生面に関して不安が残るものである。
【０００７】
特許文献3（特許出願公告  昭44-20707号  液体混合物混合装置）は、スプーンやマドラーが不要で電力を必要としないが、その他の点で特許文献2と同じ不便さを感じるものである。
【０００８】
本発明の目的は、手持ちの飲料容器に手軽に着脱可能で、飲用中に邪魔にならず、いつでも簡単に撹拌作業が行える、使い勝手の良い飲料用撹拌用具を提供することである。
【課題を解決するための手段】
【０００９】
前述の課題を解決するため、本発明の飲料用撹拌用具は、不溶性素材からなり、使用時に飲料容器の内部に取り付け固定するための吸盤と、当該吸盤上部に、飲料容器を手に持ち動かした時に飲料に撹拌流を起させるための撹拌羽根を設けたことを特徴としている。（請求項1）
【００１０】
また、本発明の飲料用撹拌用具は、飲料容器への着脱を容易にするために、吸盤の中央軸と取り外し用つまみのどちらか一方、又は両方を棒状体に形成している。（請求項2）
【００１１】
また、本発明の飲料用撹拌用具は、全体がシリコーンゴム素材からなる。
（請求項3）
【発明の効果】
【００１２】
本発明は以上に説明したように構成されるので、以下に記載されるような効果を奏する。
【００１３】
不溶性素材からなり、使用時に飲料容器の内部に取り付け固定するための吸盤と、当該吸盤上部に、飲料容器を手に持ち動かした時に飲料に撹拌流を起させるための撹拌羽根を設けたことを特徴としているので、
ほとんどの飲料容器に容易に着脱可能で、その時の用途に応じて好みの飲料容器に使用することが出来る。また、使用時には飲料容器内部に固定されているので、飲用中に邪魔になることなく、飲料容器を持つ手を動かすだけで、必要な時に何度でも撹拌作業を行える。また、使用後は取り外して本発明品と飲料容器を別々に洗浄できるので、衛生的である。（請求項1）
【００１４】
また、本発明の飲料用撹拌用具は、飲料容器への着脱を容易にするために、吸盤の中央軸と取り外し用つまみのどちらか一方、又は両方を棒状体に形成しているので、飲料容器への着脱作業が更に容易になり、使い勝手が向上する。（請求項2）
【００１５】
また、全体がシリコーンゴム素材からなるので、手肌や飲料容器に触れても当たりが優しく取り扱いが安全である。また、温度変化による物性も良いので機能的である。（請求項3）
【図面の簡単な説明】
【００１６】
【図１】は、本発明の第一の実施例の斜視図である。
【図２】（a）（ｂ）は、吸盤の実施態様を示した底面図である。
【図３】（a）（ｂ）（ｃ）（ｄ）は、それぞれ撹拌羽根の実施態様を示した斜視図である。
【図４】（a）（ｂ）（ｃ）は、それぞれ吸盤と撹拌羽根の嵌合方法を示した正面図である。
【図５】は、可動羽根の撹拌部を取り付ける様子を示した正面図である。
【図６】は、（a）（ｂ）（ｃ）は、それぞれ本発明の使用方法を順番に示した図である。
【図７】（a）は、一般的な吸盤の正面図である。（ｂ）（ｃ）は、本発明の第二の実施例の正面図である。
【図８】は、本発明品の第一から第三の全ての実施形態を含む斜視図である。
【図９】は、本発明品の実施態様の一例を示す斜視図である。
【図１０】（a）（ｂ）は、本発明品の第一の実施例にデザイン性を持たせた正面図である。（ｃ）は、本発明品の第二の実施例にデザイン性を持たせた斜視図である。
【発明を実施するための形態】
【００１７】
以下、本発明品の実施形態について、図を用いて説明する。
本発明品の第一の実施形態は、図1に示すように、不溶性素材からなり、使用時に飲料容器の内部に取り付け固定するための吸盤1と、当該吸盤1上部に、飲料容器を手に持ち動かした時に飲料に撹拌流を起こさせるための撹拌羽根2を設けて構成されている。
【００１８】
不溶性素材とは、一般的な飲料から考えられる最低温度・最高温度に達しても、形状が保て、人体に有害な物質が溶け出さない素材であることを指す。理想的には摂氏−5℃〜100℃の耐寒性・耐熱性を具備する事が好ましいが、非加温飲料専用の場合は摂氏0℃〜60℃程度の耐寒性・耐熱性で十分である。詳しくは後述するが、この条件をクリアすれば素材の種類は問わない。
【００１９】
吸盤1は、基本的に1つであるが、図2（a）で示すように、比較的小径の吸盤1aを複数並列して取り付けても良い。また、図2（ｂ）で示すように、吸着力を高めるために、吸盤1の下にもう一つ小径の吸盤1aを直列して設けても良い。
吸盤1の素材は、熱硬化性エラストマーが良く、中でも人体に優しいシリコーンゴムが理想的である。
吸盤1が占める面積は、様々な飲料容器の内部を考慮すると、直径3〜5センチ辺りが適当である。
【００２０】
撹拌羽根2は、手で飲料容器を持ち動かした時に、効率よく撹拌流を起こさせるものであれば、形状や枚数は問わない。
ここで言う撹拌流とは、飲料の撹拌を促進するための流れであり、渦流でも乱流でも構わない。
撹拌羽根2の例として、図3で示すように、（a）プロペラ型や、（ｂ）ミキサーの刃型のように、羽根を複数設けた物や、（c）泡だて器のような篭型の撹拌羽根2や、（ｄ）スクリュー型の撹拌羽根2などでも構わない。また、フィン型の1枚羽根でも構わない。
図1は、吸盤1の表面に、直接撹拌羽根2を設けた形であるが、図3（a）〜（ｄ）で示す撹拌羽根2はいずれも吸盤1の中央軸上に撹拌羽根2を設けた形状の例であり、どちらでも構わない。
また、図3（ｄ）で示すように、吸盤1上部の表面に複数の突起4を設けると、沈殿した粉末等を動かし易くなり、撹拌効率が高まる。
【００２１】
撹拌羽根2の素材は、吸盤1と同じ熱硬化性エラストマーの他、プラスチックなどの硬質樹脂・ステンレス・永久磁石・陶器・セラミックなどでも良いし、使い捨ての素材としてラミネートコーティングされたパルプ紙・薄手のプラスチックなどでも構わない。
永久磁石・セラミックなどは水質浄化が期待できる素材であり、このような素材を撹拌羽根2に使用することにより、飲用の邪魔になることなく、カルキ成分等を吸着しながら、より美味しい飲料を飲用することが出来る。
【００２２】
吸盤1と撹拌羽根2の素材が違う場合や、同じ素材でも複雑な形の撹拌羽根の場合、図4（a）〜（ｃ）で示すように、吸盤1と撹拌羽根2にそれぞれに嵌合係止部5を設け、吸盤1の弾性を利用し嵌合して一体化させる。これは一例であり、一体化出来ればその方法は問わない。
【００２３】
また、図1と図3（a）〜（ｄ）で示す撹拌羽根2はいずれも吸盤1に対して固定して取り付けた形であるが、撹拌流がある程度大きくなった時に飲料の流れに応じて撹拌羽根2が回転するような構造にしても構わない。図5は、吸盤1の中央軸3を嵌合係止部を兼ねた固定軸とし、この中央軸に可動羽根2aを嵌合した例である。
撹拌羽根2は、理想的には、左右どちらの手でどちらの方向に飲料容器6を動かしても、同じ大きさの撹拌流が生じるバランスの取れた撹拌部2が好ましい。
【００２４】
撹拌羽根2のサイズは、飲料容器の中に納まり、飲用した時にも顔に当たらない高さであることが必要である。湯飲みなどの比較的背の低い飲料容器を考慮すると、撹拌羽根2の標準的な高さは0.5センチ〜4センチ以内が適当である。
しかし、マグカップ・湯のみ・グラスなど、それぞれの容器の標準的な大きさに合わせた専用の本発明品を製造したり、飲料容器とその飲料容器の形に合う撹拌効率の良い本発明品とのセットで販売しても消費者にとって便利であるので、その場合は吸盤1・撹拌部2ともに前記に記載したサイズの限りではない。
【００２５】
以下、本発明品を使用して粉末飲料を作る方法を説明する。
図6（a）で示すように、本発明品Aを飲料容器6の内底部に吸盤1で固定し取り付けてから、粉末7とお湯8を入れ、図6（ｂ）で示すように、飲料容器6を手9で動かし、撹拌流を起させ，撹拌する。図6（ｃ）は、粉末7が撹拌流により撹拌され、溶けた状態の図である。
この時、最初にお湯8を少なめに入れ、粉末7をよく撹拌した後でお湯8を注ぎ足して完成させると、撹拌中に飲料をこぼす心配もなく、作業がしやすい。
通常、本発明品Aを使用せず、単に飲料容器6を回しても、粉末7は飲料容器6内底部中央に寄せ集まるだけで拡散されにくいが、飲料容器6の内底部に本発明品Aを取り付けることによって、効率よく拡散し、撹拌される。
飲料が出来たら、本発明品Aを取り付けたままで飲用すれば良い。
【００２６】
また、一般的に、粉末や砂糖や果肉片などを含んだ飲料は、飲料を作る時の撹拌だけでは足りない場合があり、飲み終えた時に粉末等が飲料容器の内底部に残っている事がある。このような場合、特許文献1（特許第4655249号  摘み開き式クリップ付きマドラースプーン）では、飲用途中にいちいちスプーンを取り外し撹拌させる手間があり、特許文献2（特開平6-284953  飲料容器）では、わざわざ別体のミキサシャフトに乗せ、撹拌させる手間があるが、本発明品は飲用途中に手に持った飲料容器を揺らしたり動かすだけで、沈殿物を溶解・拡散させながら飲用出来、溶け残しも起こりにくい。
また、同じ飲料容器6で違う飲料を飲用する場合に、飲料容器6を軽くすすいで使う事もあるが、本発明品Aにより、効率よくすすぎを行えるというメリットもある。
1杯目を飲み終えたら、2杯目、3杯目も同じ要領で飲料を作る。
【００２７】
このように、最初に飲料容器6に本発明品Aをセットすれば、その時の飲用が終わるまで邪魔にならず、いつでも手軽に撹拌作業が行える。
また、使用後には取り外して、飲料容器と別々に洗浄出来るので、特許文献2（特開平6-284953  飲料容器）や特許文献3（特許出願公告  昭44-20707号  液体混合物混合装置）と比べ、飲料容器を清潔に保つのが容易である。また、本発明品Aは、好きな飲料容器に取り付けて使用できるので、容器を限定されることがない。
ここでは、粉末飲料の作り方について説明したが、砂糖やミルクを入れる飲料や濃縮果汁や果肉の場合も同様の方法で使用する。
具体的には、コーヒー・紅茶・ゆず茶・昆布茶・濁り酒・梅割り焼酎・くず湯・カップスープ・カクテル等、撹拌を要するあらゆる種類の飲料に便利に使用できる。
【００２８】
本発明品の第二の実施形態は、飲料容器への着脱を容易にするために、吸盤1の中央軸3と取り外し用つまみ10のどちらか一方、又は両方を棒状体に形成している。
【００２９】
一般的な吸盤1には、図7（a）で示すように、中央軸3と取り外しを容易にするための、小さな取り外し用のつまみ10を設けている。
また、吸盤を固定面に固定するためには、通常中央軸3を上から押圧する必要があるが、背の高い飲料容器に本発明品を着脱する際には、指が届かない場合もある。
【００３０】
そこで、図7（ｂ）は、中央軸を棒状体に形成した一例である。棒状体にして高さを出す事により、指が届くので着脱作業が楽になる。また、中央軸の棒状体3aの先端に鍔部11を設けると着脱作業に更に便利である。
また、図7（ｃ）は、取り外し作業を更に容易にするために、取り外し用つまみも棒状体10aに形成している。
【００３１】
撹拌羽根2の形状は自由であるので、図3（ｄ）で示すようなスクリュー型は、元々中央軸3が棒状体に形成されているので、取り外し用のつまみ10のみを棒状体に形成すれば良い。また、図1のように吸盤1の表面上に直接取り付けられ、ある程度の高さを有する撹拌羽根2を持てば、簡単に取り外しが可能であるので、撹拌羽根2の取り付け位置に応じてどちらか一方を棒状体にしたり、両方とも棒状体に形成すれば良い。
吸盤1と撹拌羽根2が嵌合させている本発明品は、取り外す際に嵌合係止部5が外れ吸盤1を飲料容器6の内底部に取り残してしまう事もあるので、棒状体の取り外し用のつまみ10aがあると便利である。
【００３２】
それぞれの棒状体の高さは、前記撹拌羽根2と同じ4ｃｍ程度が適当であるが、前記と同じく特定の飲料容器6に合わせて本発明品を製造する場合は、この限りではない。
【００３３】
本発明品の第3の実施形態は、シリコーンゴム素材で構成されている。
シリコーンゴムは熱硬化性エラストマーの中でも耐熱性・耐寒性に優れた素材であるため、繰り返しの使用にも強く、エコである。
自宅などで、飲料容器に水を入れ電子レンジでお湯を沸かす方法を取る人もいるが、このような時にもシリコーンゴムであれば、本発明品を取り外す必要がなく、そのまま電子レンジにかけられる。
また、図1で示したように、比較的単純な形の撹拌羽根は吸盤を一体型で製造できるので、構造がシンプルで洗浄もしやすく、使い勝手が良い。
図8は、全ての実施形態を含む形状の一例である。
【００３４】
前記、撹拌羽根2の素材で、水質浄化効果が期待出来るセラミックや永久磁石などを挙げたが、全体をシリコーンゴム素材にした場合には、セラミックや活性炭などの水質浄化剤を取り付ける構造にしても良い。図9で示す例は、棒状体の中央軸3aに通し穴12を設けて、通し穴12のサイズに合わせた活性炭13を取りつける構造である。通し穴と合うサイズの棒状の活性炭13やセラミック素材をセットで販売したり、別売で販売しても良い。
【００３５】
本発明は、上記のように構成され、従来の問題点を一挙に解決する事が出来る、非常に利便性の高いものである。
また、図10は（a）ウサギ、（ｂ）クワガタ（ｃ）花をモチーフにしたデザインバリエーションの例である。デザイン性を持たせると、美感が高まり、撹拌作業がより楽しいものになる。
以上、本発明は図示の実施形態や実施例に限定されるものではなく、特許請求の範囲内において、様々な変更が可能である。
【符号の説明】
【００３６】
1    吸盤            １a  小径吸盤  
2    撹拌羽根        2a  可動羽根
3    中央軸          3
a  棒状体の中央軸
4    突起
5    嵌合係止部
6    飲料容器
7               
粉末
8               
お湯
9    手
10    取り外し用つまみ    10a  棒状体の取り外し用つまみ
11    鍔部
12    通し穴
13    活性炭
A    本発明品
【図１】
0005922386.tif 000002
【図２】
0005922386.tif 000003
【図３】
0005922386.tif 000004
【図４】
0005922386.tif 000005
【図５】
0005922386.tif 000006
【図６】
0005922386.tif 000007
【図７】
0005922386.tif 000008
【図８】
0005922386.tif 000009
【図９】
0005922386.tif 000010
【図１０】
0005922386.tif 000011